(57)【特許請求の範囲】
【請求項２】
楽器の胴体に取り付けられるベルトと、
前記ベルトに、前記ベルトの長さ方向に移動自在に取り付けられる第１の部材と、
一方の面で前記第１の部材と当接し、他方の面で前記楽器の演奏者の肩に当接する第２の部材を備え、
前記第１の部材及び前記第２の部材内の内部には、それぞれ磁石が内蔵されて、
前記第１の部材と前記第２の部材は、前記磁石の磁力によって互いに連結されるとともに、
前記第２の部材の前記第１の部材と当接する面に略平行な板状の磁性部材が前記第２の部材に内蔵されている
楽器用肩当て。
【請求項３】
前記板状の磁性部材は、面外方向に自在に変形して、その形状を保つような塑性を備える
ことを特徴とする請求項２に記載の楽器用肩当て。
【請求項４】
前記第２の部材の前記第１の部材と当接する面に溝が形成されていて
前記第１の部材の少なくとも一部が、前記溝と嵌合する
ことを特徴とする請求項２又は請求項３に記載の楽器用肩当て。
【発明の詳細な説明】
【技術分野】
【０００１】
本発明は、バイオリン又はビオラ等、演奏者の顎と肩で挟んで保持される擦弦楽器に取り付ける楽器用肩当てに関する。
【背景技術】
【０００２】
バイオリン又はビオラ等、演奏者の顎と肩で挟んで保持される擦弦楽器（以下、本明細書では、これらを総称して「バイオリン類」と呼ぶ）に楽器用肩当てを取り付けることが知られている。バイオリン類本来の響きを得るには使用しない方が良いとする意見もあるが、楽器用肩当ては楽器の保持を容易かつ確実にして演奏者の身体的負担を低減するので、演奏の質が向上すると考えられている。【０００３】
楽器用肩当ては、その形態によって、ブリッジ型とクッション型に大別される。ブリッジ型の楽器用肩当ては、橋桁状の部材の両端にクランプを備えていて、クランプで楽器の胴体に固定して使用される（例えば、特許文献１）。ブリッジ型の楽器用肩当ては、楽器を安定して保持することができるが、外形が大きいので、演奏者の動き（例えば、シフトチェンジや移弦に伴う肩と腕の動き）が制限されることがある。クッション型の楽器用肩当ては、クッション部材にベルトが取り付けられていて、ベルトの端部を楽器の胴体に引っ掛けて使用される（例えば、非特許文献１）。
【先行技術文献】
【特許文献】
【０００４】
【特許文献１】特開２００８−６４７９６号公報
【非特許文献】
【０００５】
【非特許文献１】ｈｔｔｐ：／／ｗｗｗ．ｇａｒｉｔｔｏ．ｃｏｍ／ｐｒｏｄｕｃｔ／１６１１５４６９
【発明の概要】
【発明が解決しようとする課題】
【０００６】
クッション型の肩当てはブリッジ型に比べて、肩や腕の動きを制限する事が少ないので、肩当てを使用していない状態に比較的近い感覚で演奏できるが、クッション部分の全面が裏板に接するので楽器の響きを抑制するという問題が指摘されている。勿論、クッション部分の寸法を小さくすれば、楽器の響きへの影響は改善されるが、楽器の安定性が損なわれる。つまり、この場合には肩当てが演奏者の肩から外れやすくなるという問題が生じる。【０００７】
本発明は、かかる事情に鑑みてなされたものであり、楽器を安定的に保持することが可能で、肩や腕の動きを制限する事が少なく、しかも楽器の響きに対する影響が小さい楽器用の肩当てを提供するものである。
【課題を解決するための手段】
【０００８】
本発明に係る楽器用肩当ては、楽器の胴体に取り付けられるベルトと、前記ベルトに、前記ベルトの長さ方向に移動自在に取り付けられる第１の部材と、一方の面で前記第１の部材と当接し、他方の面で前記楽器の演奏者の肩に当接する第２の部材を備え、前記第１の部材及び前記第２の部材内の内部には、それぞれ磁石が内蔵されて、前記第１の部材と前記第２の部材は、前記磁石の磁力によって互いに連結されるとともに、前記第２の部材の前記第１の部材と当接する面に略平行な板状の磁性部材が前記第２の部材に内蔵されているものである。【００１０】
前記板状の磁性部材は、面外方向に自在に変形して、その形状を保つような塑性を備えていてもよい。【００１１】
前記第２の部材の前記第１の部材と当接する面に溝が形成されていて、前記第１の部材の少なくとも一部が、前記溝と嵌合するようにしてもよい。
【発明の効果】
【００１２】
本発明に係る楽器用肩当ては、第２の部材が十分な大きさを有し、第２の部材に磁石が移動可能な状態で内蔵されていて、第２の部材は第１の部材に連結された状態で、第１の部材に対して移動できる。また、第２の部材の第１の部材に対する角度を変更できる。また、第１の部材はベルトの長さ方向に移動自在に取り付けられている。そのため、演奏者の体型（例えば肩幅や首の長さなど）に合わせて、第２の部材を演奏者の肩にフィットさせることができ、楽器を安定して保持する事ができる。また、楽器の裏板に当接する第１の部材の寸法が小さいので、楽器の響きへの影響を小さくできる。以上の特徴を有するので、本発明によれば、楽器の演奏の質を向上させる効果が生じる。
【図面の簡単な説明】
【００１３】
【図１】本発明の実施形態に係る楽器用肩当ての使用要領を説明する図である。
【図２】楽器用肩当てをバイオリンに装着した状態を示す図であり、（ａ）はバイオリンの裏面を、（ｂ）は右側面を、（ｃ）は背面を、それぞれ示す図である。
【図３】第１のクッション部材の構成を示す図であって、（ａ）は平面図であり、（ｂ）は（ａ）のＡ−Ａ’線で切断した側断面図である。
【図４】第２のクッション部材の構成を示す図であって、（ａ）は平面図であり、（ｂ）は側面図であり、（ｃ）は（ａ）のＢ−Ｂ’線で切断した側断面図である。
【図５】楽器用肩当ての作用を説明する側断面図であって、（ａ）は第１のクッション部材の移動を、（ｂ）及び（ｃ）は第２のクッション部材の曲げ変形を、それぞれ示す図である。
【図６】楽器用肩当ての効果を説明する概念図であり、（ａ）及び（ｂ）は本発明に係る楽器用肩当てをバイオリンに取り付けた状態を、（ｃ）は従来技術に係る楽器用肩当てをバイオリンに取り付けた状態を、それぞれ示す。
【図７】第２のクッション部材の変形例を示す図であって、（ａ）は平面図であり、（ｂ）は側面図である。
【図８】楽器用肩当ての作用を示す図であり、（ａ）は第２のクッション部材のバイオリンに対する回転を、（ｂ）はベルトの長さ方向の移動を、（ｃ）はベルトの幅方向の移動を、それぞれ示す。
【発明を実施するための形態】
【００１４】
以下、本発明の実施形態について、図面を参照しながら説明する。
【００１５】
図１に示した楽器用肩当て１は、本発明の例示であって、演奏者２がバイオリン３を演奏する際に、バイオリン３に取り付けて使用される。前述したように、演奏者２は顎と肩でバイオリン３を挟んで保持するが、この時に楽器用肩当て１は演奏者２の肩とバイオリン３の間にあって、演奏者２の肩に当接する。
【００１６】
楽器用肩当て１はベルト４を備えていて、ベルト４はバイオリン３に固定される。ベルト４には第１のクッション部材５が取り付けられていて、第１のクッション部材５には、第２のクッション部材６が連結され、第２のクッション部材６は演奏者２の肩に当接する。なお、第１のクッション部材５はベルト４とバイオリン３に挟まれていて、第１のクッション部材５の一方の面はバイオリン３の裏板に当接し、他方の面はベルト４に当接する。
【００１７】
第１のクッション部材５のベルト４に当接する面にはループ５ｃが固定されていて、ベルト４はループ５ｃに挿通されているので、第１のクッション部材５は、ベルト４の長手方向（矢印Ｘで示す）に自在に移動する。また、図１に示す状態において、第１のクッション部材５の移動方向（＝ベルト４の長手方向、矢印Ｘ）は、第２のクッション部材６の長手方向（矢印Ｙで示す）と交差する。なお、ループ５ｃは、第１のクッション部材５のほぼ全幅を覆う幅を有するので、第１のクッション部材５がベルト４に対して回転することがない。
【００１８】
次に、図２に参照しながら、楽器用肩当て１をバイオリン３に固定する要領を説明する。なお、図２においては、楽器用肩当て１から第２のクッション部材６を取り外した状態を示している。
【００１９】
前述したように、第１のクッション部材５はベルト４の長手方向（矢印Ｘ）に移動自在に取り付けられている。ベルト４は、図２（ａ）に示すように、一方端に小穴８が開けられていて、小穴８には輪状のゴム紐９が結び付けられている。そして、図２（ｂ）に示すように、ゴム紐９はバイオリン３の胴体のエッジ１０に引っ掛けられる。また、図２（ｃ）に示すように、ベルト４の他方端には係合穴１１があって、係合穴１１はエンドピン７と係合する。このように、ベルト４はバイオリン３のエンドピン７とエッジ１０の間に架け渡されて、バイオリン３に固定される。なお、ベルト４の素材は特に限定されないが、柔軟で所望の強度が得られる素材が望ましい。
【００２０】
図３（ａ）及び図３（ｂ）に示すように、第１のクッション部材５は全体として扁平な座布団状の外形を有している。また図３（ｂ）に示すように、第１のクッション部材５はクッション材５ａを外皮５ｂで包んで構成される。外皮５ｂには、前述したループ５ｃが縫い付けられていて、ループ５ｃにはベルト４（図３において、図示せず）が挿通される。なお、クッション材５ａの素材は特に限定されないが、ここでは、合成樹脂を発泡成形した人造スポンジを使用している。また、外皮５ｂとループ５ｃには柔軟な合成皮革を使用している。
【００２１】
第１のクッション部材５の中には第１の磁石１２が内蔵され、第１の磁石１２の周囲にはクッション材５ａが充填されている。そのため第１の磁石１２は第１のクッション部材５の中で移動できない。なお、第１の磁石１２は永久磁石であり、その磁力の強さについては後述する。
【００２２】
図４（ａ）乃至図４（ｃ）に示すように、第２のクッション部材６は、ソラマメ形あるいは勾玉形に湾曲した平面形を有する部材であって、クッション材６ａを外皮６ｂで包んで構成される。さらに、第２のクッション部材６の中には、第２の磁石１３と板状部材１４が内蔵されている。また、第２の磁石１３の周囲には空所６ｃが形成されていて、第２の磁石１３は空所６ｃの中で自由に移動できる。なお、第２の磁石１３も永久磁石であり、その磁力の強さについては後述する。板状部材１４は磁性部材であって、第２の磁石１３の磁力で保持される部材であればよい。板状部材１４自身が磁力を有する必要はない。なお、クッション材６ａの素材は、特に限定されないが、ここでは合成樹脂を発泡成形した人造スポンジを使用している。また、外皮６ｂには柔軟な合成皮革を使用している。
【００２３】
このように構成されているので、図５（ａ）に示すように、第２のクッション部材６を第１のクッション部材５に当接させると、第１の磁石１２と第２の磁石１３の間で作用する磁力によって、第１のクッション部材５と第２のクッション部材６は相互に引き付けられる。その結果、第１のクッション部材５は第２のクッション部材６に結合される。なお、言うまでもないが、第１の磁石１２と第２の磁石１３は互いに引力が生じるように、対向面が互いに異極になるように配置される。また、第１の磁石１２と第２の磁石１３の磁力は、第１のクッション部材５と第２のクッション部材６が実用上十分な力で連結されるように選択される。
【００２４】
また、第１のクッション部材５が矢印Ｙ方向に移動すると、第２の磁石１３は第１のクッション部材５に追随して、第２のクッション部材６（空所６ｃ）の中で移動する。そのため、第１のクッション部材５が第２のクッション部材６に対して相対的に移動しても、第１のクッション部材５は第２のクッション部材６に結合された状態を維持する。なお、この時、第２の磁石１３は板状部材１４に引き付けられた状態を維持しながら、第２のクッション部材６（空所６ｃ）の中を移動するように、つまり第２の磁石１３が板状部材１４に沿って（倣って）、第２のクッション部材６（空所６ｃ）の中を移動する。そのために、第２の磁石１３と板状部材１４の間で生じる引力が、第１の磁石１２と第２の磁石１３の間で生じる磁力より小さくなるように設計される。
【００２５】
また、前述したように、第２のクッション部材６は演奏者２の肩に当接させて使用されるが、演奏者２の体格・体形は個々に異なるので、第２のクッション部材６は演奏者２の体格・体形に合わせて曲げて使用される。そのために、図５（ｂ）に示すように、第２のクッション部材６を曲げると、板状部材１４が曲がって、その曲がった状態を維持できるように、板状部材１４には所望の塑性を備える素材と寸法が選ばれる。つまり、演奏者２自身の手で（機械や工具を使わないで）面外方向に曲げることができ、その曲げられた形状が保持されるような、素材と寸法が選ばれる。なお、第２のクッション部材６を曲げる方向は図５（ｂ）に示すような「下に凸」になる方向には限られない。図５（ｃ）に示すように「上に凸」になるように曲げることもできる。このように構成されているので、第２のクッション部材６は演奏者２の体格・体形に合わせて曲げた状態を維持することができる。
【００２６】
再度、図１に戻って、楽器用肩当て１の作用を説明する。演奏中にバイオリン３が矢印Ｘ方向に移動した場合は、第１のクッション部材５がベルト４に沿って移動するので、第１のクッション部材５が第２のクッション部材６から外れることがない。バイオリン３が矢印Ｙ方向に移動した場合は、第１のクッション部材５は第２のクッション部材６に結合された状態を保ったまま、第２のクッション部材６に沿って矢印Ｙ方向に移動する。そのため、バイオリン３がどのような方向に移動しても、第１のクッション部材５が第２のクッション部材６から外れることがない。つまり、楽器用肩当て１はバイオリン３と演奏者２の肩の間から外れることはない。
【００２７】
また、図６に示すように、第２のクッション部材６がどちらの方向に曲げられていても、第１のクッション部材５（図６（ａ），（ｂ））は従来のクッション型肩当て１５（図６（ｃ））に比べて、寸法が小さいので、バイオリン３の裏板に当接する面積が小さい。そのため、バイオリン３の響きに加わる影響が小さい。
【００２８】
楽器用肩当て１は図７に示すように構成されてもよい。すなわち、第２のクッション部材６にガイド溝６ｄを形成して、第１のクッション部材５が第２のクッション部材６のガイド溝６ｄに嵌合するようにしてもよい。このようにすれば、第１のクッション部材５がガイド溝６ｄに案内されて移動するので、第１のクッション部材５が第２のクッション部材６から、さらに外れにくくなる。なお、ガイド溝６ｄの底を構成する素材には第１のクッション部材５との摩擦が大きい素材を選ぶとよい。第２のクッション部材６をガイド溝６ｄ内で所望の位置に移動させた後は、その位置に留まるようにするためである。つまり第２のクッション部材６を所望の位置に保持するためである。
【００２９】
最後に図８を参照して、楽器用肩当て１の作用を再度説明する。第２のクッション部材６は第１及び第２の磁石１２，１３の間に作用する磁力によって、第１のクッション部材５と連結されているが、回転は拘束されていないので、第２のクッション部材６は、図８（ａ）に示すように、バイオリン３に対して自在に回転する。また、第２の磁石１３は第２のクッション部材６の内部で移動できるので、第２のクッション部材６は第１のクッション部材５と連結された状態を保ったまま、第１のクッション部材５に対して相対的に移動できる。そのため、第２のクッション部材６は、図８（ｂ）に示すように、ベルト４の幅方向（Ｙ）に自在に移動する。また、第１のクッション部材５はループ５ｃにベルト４を挿通して取り付けているので、図８（ｃ）に示すように、ベルト４の長さ方向（Ｘ）に自在に移動する。
【００３０】
また、従来から、演奏中に演奏者２の汗がバイオリン３に付着して、ニスや膠を侵すことがないように、演奏者２とバイオリン３の間にハンカチ等を挟むことが行なわれているが、演奏中にハンカチ等を取り落とすおそれがある。これに対して、楽器用肩当て１においては、第１のクッション部材５と第２のクッション部材６を磁力で連結しているので、第１のクッション部材５と第２のクッション部材６の間にハンカチ等を挟むことができる。そのため、演奏中にハンカチ等を取り落とすことがなくなるので、演奏者２の心理的なストレスが軽減される。また演奏者２のパートの演奏が休みの時は、演奏者２はバイオリン３を構えから外して、当該パートの演奏が再開される前に構え直すが、その際にハンカチ等をセットし直す必要がないので、この点でも演奏者２の心理的なストレスが軽減される。
【００３１】
以上、本発明の実施形態を説明したが、上記実施態様は例示であって、本発明の技術的範囲は上記実施態様によっては限定されない。特許請求の範囲に記載された技術的思想の範囲において、自由に応用、変形、あるいは改良して使用できる。
【００３２】
楽器用肩当ての取り付け対象として、バイオリンとビオラを例示したが、  楽器用肩当てを取り付ける楽器はバイオリンやビオラには限定されない。演奏者の顎と肩で胴体を挟み、一方の手で棹を持ち、他方の手に持った弓で擦弦して演奏する楽器であれば、既存の楽器であっても、将来出現する新規な楽器であっても、本発明を適用することができる。
【００３３】
ベルトの形状や寸法は、取り付け対象の楽器の形状や寸法によって、自由に選択あるいは決定される事項であって、本願に添付した図面において示された形状や寸法には限定されない。またベルトを楽器に固定する手段も、ゴム紐９や係合穴１１には限定されない。またベルトの素材が限定されないことは言うまでもない。
【００３４】
第１のクッション部材の形状や寸法は、例示であって、これらには限定されない。例えば、取り付け対象の楽器の形状や寸法によって、自由に選択される。また、クッション材や外皮の素材が限定されないことは言うまでもない。
【００３５】
第２のクッション部材の形状や寸法も、例示であって、これらには限定されない。例えば、演奏者の体形や体格に応じて、自由に選択される。また、クッション材や外皮の素材が限定されないことは言うまでもない。
【００３６】
第１及び第２の磁石は、所望の磁力、つまり前述した効果が生じる磁力を有していれば足りるので、その素材等は特に限定されない。もっとも、強力な永久磁石、例えばネオジウム磁石を使用すれば、楽器用肩当ての軽量化に資する。
【産業上の利用可能性】
【００３７】
本発明は、演奏者の顎と肩で挟んで保持される擦弦楽器に取り付ける楽器用肩当てとして利用可能である。
【符号の説明】
【００３８】
１  楽器用肩当て
２  演奏者
３  バイオリン
４  ベルト
５  第１のクッション部材
５ａ  クッション材
５ｂ  外皮
５ｃ  ループ
６  第２のクッション部材
６ａ  クッション材
６ｂ  外皮
６ｃ  空所
６ｄ  ガイド溝
７  エンドピン
８  小穴
９  ゴム紐
１０  エッジ
１１  係合穴
１２  第１の磁石
１３  第２の磁石
１４  板状部材
１５  従来のクッション型肩当て
【図１】
0006028086.tif 000002
【図２】
0006028086.tif 000003
【図３】
0006028086.tif 000004
【図４】
0006028086.tif 000005
【図５】
0006028086.tif 000006
【図６】
0006028086.tif 000007
【図７】
0006028086.tif 000008
【図８】
0006028086.tif 000009